(57)【要約】【課題】携帯端末装置の端子との接触不良を防止することが可能な充電器及び充電システムを提供する。【解決手段】充電器２００は、Ｄ１方向に付勢力Ｆ１が付与された状態で充電器２００の筐体から進退可能に突出する接点部２５１Ｐを備える端子２５１と、充電器２００の筐体からＤ２方向に突出する固定部２６１，２６２とを備え、接点部２５１Ｐは、携帯端末装置１００をＤ３方向に充電器２００に押し込まれた場合に携帯端末装置２００の端子１５１の第１部分Ｓ１に接触する第１状態と、接点部２５１Ｐが第１部分Ｓ１に接触した後に携帯端末装置１００をＤ４方向に押し込まれた場合に端子１５１の第２部分Ｓ２に接触する第２状態とを含み、接点部２５１Ｐは端子１５１の接触面に接触した状態で第１部分Ｓ１から第２部分Ｓ２に摺動し、固定部２６１，２６２は接点部２５１Ｐが第２状態のときに携帯端末装置１００の受容部１６１，１６２に受容される。【選択図】図９Ｂ
2020025408.tif 000002
【特許請求の範囲】
【請求項１】
携帯端末装置の充電を行う充電器であって、
第１方向に第１付勢力が付与された状態で前記充電器の筐体から進退可能に突出する接点部を備える第１端子と、
前記充電器の筐体から前記第１方向とは異なる第２方向に突出する固定部と、
を備え、
前記接点部は、前記携帯端末装置が前記第１方向とは反対方向の第３方向に前記充電器に押し込まれた場合に、前記携帯端末装置の第２端子の接触面の第１部分に接触する第１状態と、当該接点部が前記第１部分に接触した後に前記携帯端末装置が前記第２方向とは反対方向の第４方向に前記充電器に押し込まれた場合に、前記第２端子の接触面の第２部分に接触する第２状態と、を含み、
前記接点部は、前記第２端子の接触面に接触した状態で前記第１部分から前記第２部分に摺動し、
前記固定部は、前記接点部が前記第２状態のときに前記携帯端末装置の受容部に受容される、
充電器。
【請求項２】
前記第１方向に第２付勢力が付与された状態で前記充電器の筐体から進退可能に突出する突出部をさらに備え、
前記携帯端末装置が前記充電器に載置された場合に、前記携帯端末装置の底部が前記突出部に支持されることにより、前記接点部と前記第２端子との間に間隙が形成され、
前記間隙が形成された後に前記携帯端末装置が前記第２付勢力よりも大きい力で前記第３方向に前記充電器に押し込まれた場合に、前記接点部は前記第１状態になる、
請求項１に記載の充電器。
【請求項３】
前記接点部が前記第２状態の場合に、前記突出部は、前記携帯端末装置の底部に対して前記第２付勢力に応じた力を付与する、
請求項２に記載の充電器。
【請求項４】
前記接点部が前記第２状態の場合に、前記固定部と前記受容部とが互いに接触する接触部に作用する、前記第２付勢力に応じた応力と当該応力に対する反力とにより、前記携帯端末装置を前記充電器に固定する、
請求項２又は請求項３に記載の充電器。
【請求項５】
前記筐体は、前記携帯端末装置の前面側に配置される前壁を備え、
前記接点部が前記第１状態から前記第２状態に変化する場合において、前記前壁の上端部を支点にして前記携帯端末装置の上部が前記第４方向に移動することにより前記固定部が前記受容部に受容され、かつ、前記前壁の上端部を支点にして前記携帯端末装置の底部が前記第４方向とは反対方向の第５方向に移動することにより前記接点部が前記第１部分から前記第２部分に摺動する、
請求項１から請求項４の何れか１項に記載の充電器。
【請求項６】
携帯端末装置と、当該携帯端末装置の充電を行う充電器とを含む充電システムであって、
前記充電器は、第１方向に第１付勢力が付与された状態で前記充電器の筐体から進退可能に突出する接点部を備える第１端子と、
前記充電器の筐体から前記第１方向とは異なる第２方向に突出する固定部と、を備え、
前記携帯端末装置は、底部に第２端子を備え、
前記接点部は、前記携帯端末装置が前記第１方向とは反対方向の第３方向に前記充電器に押し込まれた場合に、前記第２端子の接触面の第１部分に接触する第１状態と、当該接点部が前記第１部分に接触した後に前記携帯端末装置が前記第２方向とは反対方向の第４方向に前記充電器に押し込まれた場合に、前記第２端子の接触面の第２部分に接触する第２状態と、を含み、
前記接点部は、前記第２端子の接触面に接触した状態で前記第１部分から前記第２部分に摺動し、
前記固定部は、前記接点部が前記第２状態のときに前記携帯端末装置の受容部に受容される、
充電システム。
【発明の詳細な説明】
【技術分野】
【０００１】
本発明は、携帯端末装置を充電する充電器、及び充電器と携帯端末装置とを含む充電システムに関する。
【背景技術】
【０００２】
ハンディターミナル、スマートフォン等の携帯端末装置が備えるバッテリ（充電池）を充電する際に、携帯端末装置を保持する充電クレードル（以下、充電器という。）が用いられる。携帯端末装置及び充電器には、それぞれ電源用の端子が設けられている。例えば充電器の端子は、ＡＣアダプタを介して商用電源等の外部電源に接続されている。充電器に携帯端末装置が装着されると、携帯端末装置及び充電器の双方に設けられた端子が互いに接触し、外部電源によって携帯端末装置のバッテリが充電される。また、携帯端末装置及び充電器には、それぞれ各種情報を通信するための通信用の端子も設けられている。携帯端末装置及び充電器において適切に充電及び通信を行うためには、それぞれに設けられる端子が良好に電気的に接続される必要がある。
【０００３】
従来、前記充電器において、携帯端末装置及び充電器のそれぞれの端子に異物等が付着した場合であっても良好な電気的接続を可能にする技術が提案されている（例えば特許文献１参照）。
【先行技術文献】
【特許文献】
【０００４】
【特許文献１】特開２００５−１１０４７５号公報
【発明の概要】
【発明が解決しようとする課題】
【０００５】
しかし、前記従来の技術は、充電器の端子が携帯端末装置の側面に設けられた端子に対して側面側から押圧する構成であるため、携帯端末装置及び充電器のそれぞれの端子同士の接触圧が低下し、接触不良が生じるおそれがある。
【０００６】
本発明の目的は、携帯端末装置の端子との接触圧の低下を防ぎ接触不良を防止することが可能な充電器及び充電システムを提供することにある。
【課題を解決するための手段】
【０００７】
本発明の一の態様に係る充電器は、携帯端末装置の充電を行う充電器であって、第１方向に第１付勢力が付与された状態で前記充電器の筐体から進退可能に突出する接点部を備える第１端子と、前記充電器の筐体から前記第１方向とは異なる第２方向に突出する固定部と、を備え、前記接点部は、前記携帯端末装置が前記第１方向とは反対方向の第３方向に前記充電器に押し込まれた場合に、前記携帯端末装置の第２端子の接触面の第１部分に接触する第１状態と、前記第１部分に接触した後に前記携帯端末装置が前記第２方向とは反対方向の第４方向に前記充電器に押し込まれた場合に、前記第２端子の接触面の第２部分に接触する第２状態と、を含み、前記接点部は、前記第２端子の接触面に接触した状態で前記第１部分から前記第２部分に摺動し、前記固定部は、前記接点部が前記第２状態のときに前記携帯端末装置の受容部に受容される。
【０００８】
本発明の他の態様に係る充電システムは、携帯端末装置と、当該携帯端末装置の充電を行う充電器とを含む充電システムであって、前記充電器は、第１方向に第１付勢力が付与された状態で前記充電器の筐体から進退可能に突出する接点部を備える第１端子と、前記充電器の筐体から前記第１方向とは異なる第２方向に突出する固定部と、を備え、前記携帯端末装置は、底部に第２端子を備え、前記接点部は、前記携帯端末装置が前記第１方向とは反対方向の第３方向に前記充電器に押し込まれた場合に、前記第２端子の接触面の第１部分に接触する第１状態と、前記第１部分に接触した後に前記携帯端末装置が前記第２方向とは反対方向の第４方向に前記充電器に押し込まれた場合に、前記第２端子の接触面の第２部分に接触する第２状態と、を含み、前記接点部は、前記第２端子の接触面に接触した状態で前記第１部分から前記第２部分に摺動し、前記固定部は、前記接点部が前記第２状態のときに前記携帯端末装置の受容部に受容される。
【発明の効果】
【０００９】
本発明によれば、携帯端末装置の端子と充電器の端子との接触圧の低下を防ぎ接触不良を防止することが可能となる。
【図面の簡単な説明】
【００１０】
【図１】図１は、本発明の実施形態に係る充電システムの全体構成を示す斜視図である。
【図２Ａ】図２Ａは、本発明の実施形態に係る携帯端末装置の全体構成を示す斜視図である。
【図２Ｂ】図２Ｂは、本発明の実施形態に係る充電器の全体構成を示す斜視図である。
【図３Ａ】図３Ａは、本発明の実施形態に係る携帯端末装置を充電器に装着する前の状態を示す側面図である。
【図３Ｂ】図３Ｂは、本発明の実施形態に係る携帯端末装置を充電器に装着した状態を示す側面図である。
【図４Ａ】図４Ａは、本発明の実施形態に係る携帯端末装置を充電器に装着する前の第１状態を示す側面図である。
【図４Ｂ】図４Ｂは、本発明の実施形態に係る携帯端末装置を充電器に装着する前の第１状態を示す断面図である。
【図４Ｃ】図４Ｃは、本発明の実施形態に係る携帯端末装置を充電器に装着する前の第１状態を示す断面図である。
【図４Ｄ】図４Ｄは、本発明の実施形態に係る携帯端末装置を充電器に装着する前の第１状態を示す断面図である。
【図４Ｅ】図４Ｅは、本発明の実施形態に係る携帯端末装置を充電器に装着する前の第１状態を示す断面図である。
【図５Ａ】図５Ａは、本発明の実施形態に係る携帯端末装置を充電器に差し込んで載置した第２状態を示す側面図である。
【図５Ｂ】図５Ｂは、本発明の実施形態に係る携帯端末装置を充電器に差し込んで載置した第２状態を示す断面図である。
【図５Ｃ】図５Ｃは、本発明の実施形態に係る携帯端末装置を充電器に差し込んで載置した第２状態を示す断面図である。
【図５Ｄ】図５Ｄは、本発明の実施形態に係る携帯端末装置を充電器に差し込んで載置した第２状態を示す断面図である。
【図５Ｅ】図５Ｅは、本発明の実施形態に係る携帯端末装置を充電器に差し込んで載置した第２状態を示す断面図である。
【図６Ａ】図６Ａは、本発明の実施形態に係る携帯端末装置を充電器に押し込んだ第３状態を示す側面図である。
【図６Ｂ】図６Ｂは、本発明の実施形態に係る携帯端末装置を充電器に押し込んだ第３状態を示す断面図である。
【図６Ｃ】図６Ｃは、本発明の実施形態に係る携帯端末装置を充電器に押し込んだ第３状態を示す断面図である。
【図６Ｄ】図６Ｄは、本発明の実施形態に係る携帯端末装置を充電器に押し込んだ第３状態を示す断面図である。
【図６Ｅ】図６Ｅは、本発明の実施形態に係る携帯端末装置を充電器に押し込んだ第３状態を示す断面図である。
【図７Ａ】図７Ａは、本発明の実施形態に係る携帯端末装置を充電器に対して背面側に倒した第４状態を示す側面図である。
【図７Ｂ】図７Ｂは、本発明の実施形態に係る携帯端末装置を充電器に対して背面側に倒した第４状態を示す断面図である。
【図７Ｃ】図７Ｃは、本発明の実施形態に係る携帯端末装置を充電器に対して背面側に倒した第４状態を示す断面図である。
【図７Ｄ】図７Ｄは、本発明の実施形態に係る携帯端末装置を充電器に対して背面側に倒した第４状態を示す断面図である。
【図７Ｅ】図７Ｅは、本発明の実施形態に係る携帯端末装置を充電器に対して背面側に倒した第４状態を示す断面図である。
【図８Ａ】図８Ａは、図６Ｅに示す第３状態の部分拡大図である。
【図８Ｂ】図８Ｂは、図７Ｅに示す第４状態の部分拡大図である。
【図９Ａ】図９Ａは、図６Ｂに示す第３状態の部分拡大図である。
【図９Ｂ】図９Ｂは、図７Ｂに示す第４状態の部分拡大図である。
【発明を実施するための形態】
【００１１】
以下、添付図面を参照しながら、本発明の実施形態について説明する。尚、以下の各実施形態は、本発明を具体化した一例であって、本発明の技術的範囲を限定する性格を有さない。
【００１２】
本発明に係る充電器は、例えば、ハンディターミナル、スマートフォン等の携帯端末装置が備えるバッテリ（充電池）を充電する機能を備えるクレードルである。本発明に係る充電システムは、前記携帯端末装置と前記充電器とにより構成される。
【００１３】
図１は、本発明の実施形態に係る充電システム１０の外観を示す斜視図であり、図２Ａは、本発明の実施形態に係る携帯端末装置１００の背面側の外観を示す斜視図であり、図２Ｂは、本発明の実施形態に係る充電器２００の前面側の外観を示す斜視図である。充電システム１０は、携帯端末装置１００と充電器２００とで構成される。
【００１４】
携帯端末装置１００は、例えば、商品管理等に使用されるハンディターミナルである。携帯端末装置１００は、概略的には、上部１１０、傾斜部１３１，１３２、及び下部１２０で構成され、上部１１０の前面にディスプレイ１０１が設けられ、下部１２０の前面にテンキー１０２及びカーソルキー１０３が設けられている。携帯端末装置１００は傾斜部１３１，１３２を境にして下部１２０の幅が上部１１０の幅より細くなっており、ユーザは、主に下部１２０を把持して携帯端末装置１００を使用する。ユーザは、携帯端末装置１００を充電する場合には、携帯端末装置１００を充電器２００に装着する。携帯端末装置１００の底部１５０には、バッテリ１４０（図２Ａ参照）を充電するための端子１５１（図４Ｂ等参照）が設けられている。端子１５１は、複数の接点部１５１Ｐ（図５Ｂ等参照）を備えている。端子１５１は、本発明の第２端子の一例である。
【００１５】
図２Ａに示すように、携帯端末装置１００の傾斜部１３１，１３２の近傍の背面には、左右一対の受容部１６１，１６２（凹部）が設けられており、下部１２０の背面にはバッテリ１４０が設けられている。バッテリ１４０は、携帯端末装置１００の背面から突出するように設けられている。
【００１６】
充電器２００は、例えば、ハンディターミナル（携帯端末装置１００）を充電するクレードルである。充電器２００の筐体は、概略的には、後部２１０及び前部２２０で構成されている。後部２１０には、上方に立ち上がる左側壁２３１及び右側壁２３２と、左側壁２３１及び右側壁２３２の間に形成される受容部２４０とが設けられ、前部２２０には、上方に立ち上がる左前壁２７１及び右前壁２７２と、左前壁２７１及び右前壁２７２の間に形成される載置部２５０とが設けられている。左側壁２３１の内面にはＤ２方向（本発明の第２方向に対応）に突出する固定部２６１（凸部）が設けられ、右側壁２３２の内面にはＤ２方向に突出する固定部２６２（凸部）が設けられている（図２Ｂ参照）。載置部２５０には、複数の接点部２５１Ｐ（端子ピン）（図５Ｂ等参照）を備える端子２５１と、端子２５１の近傍に配置される突出部２５２とが設けられている。突出部２５２は、例えば、端子２５１の左右に２個設けられている。端子２５１は、本発明の第１端子の一例である。また左前壁２７１及び右前壁２７２は、本発明の前壁の一例である。
【００１７】
接点部２５１Ｐは、Ｄ１方向（本発明の第１方向に対応）に付勢力Ｆ１（図４Ｂ参照）（本発明の第１付勢力に対応）が付与された状態で充電器２００の筐体（載置部２５０）から進退可能に突出するように設けられている。突出部２５２は、Ｄ１方向に付勢力Ｆ２（図４Ｄ参照）（本発明の第２付勢力に対応）が付与された状態で充電器２００の筐体（載置部２５０）から進退可能に突出するように設けられている。付勢力Ｆ２は付勢力Ｆ１より大きくなっている。Ｄ１方向は、Ｄ２方向とは異なる方向であり、例えば、図１に示す充電器２００を側面から見て、Ｄ１方向及びＤ２方向は互いに直交する。
【００１８】
携帯端末装置１００は、充電される際に充電器２００の上方からＤ３方向（図１参照）（本発明の第３方向に対応）に押し込まれて、充電器２００に装着される。携帯端末装置１００の底部１５０は、充電器２００の載置部２５０に支持され、携帯端末装置１００のバッテリ１４０は充電器２００の受容部２４０に受容される。左側壁２３１及び右側壁２３２のそれぞれは、互いに下方内側に向かって傾斜した形状となっており、携帯端末装置１００が充電器２００の上方からＤ３方向に差し込まれた場合に、携帯端末装置１００の傾斜部１３１，１３２が、左側壁２３１及び右側壁２３２の内側の傾斜面に沿って下方に誘導され、左側壁２３１及び右側壁２３２に当接して支持される。充電器２００の固定部２６１，２６２は、それぞれ携帯端末装置１００の受容部１６１，１６２に受容される。
【００１９】
携帯端末装置１００が充電器２００に装着されると、充電器２００の端子２５１の複数の接点部２５１Ｐがそれぞれ携帯端末装置１００の端子１５１の複数の接点部１５１Ｐに接触し、充電器２００と携帯端末装置１００とが電気的に接続される。
【００２０】
図示は省略するが、充電器２００は、例えば、ＡＣ／ＤＣアダプタを含む電源コードを介して外部電源に接続されている。充電器２００は、携帯端末装置１００が充電器２００に装着されたことを検出すると、携帯端末装置１００のバッテリ１４０を外部電源によって充電する。携帯端末装置１００は、充電されたバッテリ１４０から供給される電源によって動作する。
【００２１】
充電器２００の端子２５１の複数の接点部２５１Ｐには、ＧＮＤ用端子、電源用端子（ＶＤＤ端子）、通信用端子などが含まれる。携帯端末装置１００を充電器２００に装着すると、ＧＮＤ用端子、電源用端子（ＶＤＤ端子）、及び通信用端子が順に携帯端末装置１００の端子１５１の接点部１５１Ｐに接触する。全ての接点部２５１Ｐが接点部１５１Ｐに接触すると充電が開始される。
【００２２】
本実施形態に係る充電器２００は、充電器２００の端子２５１の接点部２５１Ｐ及び携帯端末装置１００の端子１５１の接点部１５１Ｐに異物等が付着した場合であっても、携帯端末装置１００との良好な電気的接続を可能にし、接触不良を防止する構成を有する。以下、携帯端末装置１００及び充電器２００の具体的な接続方法を説明する。概略的には、携帯端末装置１００は、ユーザによりＤ３方向に充電器２００に差し込まれた後（図３Ａ参照）、Ｄ４方向（傾斜方向）（本発明の第４方向に対応）に押し込まれる（倒される）ことにより充電器２００に電気的に接続され固定される（図３Ｂ参照）。
【００２３】
以下では、図３Ａから図３Ｂに至るまでの一連の動作、すなわち携帯端末装置１００を充電器２００に装着する前の状態（図３Ａ参照）から、携帯端末装置１００を充電器２００に装着して接続（固定）される状態（図３Ｂ参照）までの一連の状態の変化について、図４〜図７を参照しつつ順に説明する。
【００２４】
尚、図４〜図７の各図において、図４Ａ、図５Ａ、図６Ａ及び図７Ａは、充電システム１０の側面図を示し、図４Ｂ、図５Ｂ、図６Ｂ及び図７Ｂは、端子１５１及び端子２５１を含む部分を切断線で切断した場合の充電システム１０の断面図を示し、図４Ｃ、図５Ｃ、図６Ｃ及び図７Ｃは、受容部１６１及び固定部２６１を含む部分を切断線で切断した場合の充電システム１０の断面図を示し、図４Ｄ、図５Ｄ、図６Ｄ及び図７Ｄは、突出部２５２を含む部分を切断線で切断した場合の充電システム１０の断面図を示し、図４Ｅ、図５Ｅ、図６Ｅ及び図７Ｅは、左前壁２７１の上端部２７１Ｔを含む部分を切断線で切断した場合の充電システム１０の断面図を示している。
【００２５】
以下では、説明の便宜上、携帯端末装置１００及び充電器２００において左右に設けられる構成部材については、互いに同一の構成を有するため、必要に応じて一方（左側の構成部材）について図示しつつ説明し、他方（右側の構成部材）については省略する。
【００２６】
図４Ａ〜図４Ｅは、携帯端末装置１００を充電器２００に差し込む前の第１状態を示している。図４Ｂに示すように、充電器２００の載置部２５０には、端子２５１が設けられており、端子２５１には、Ｄ１方向に付勢力Ｆ１が付与された状態で載置部２５０から進退可能に突出するように設けられた複数の接点部２５１Ｐが設けられている。第１状態では、携帯端末装置１００の端子１５１の接点部１５１Ｐと、充電器２００の端子２５１の接点部２５１Ｐとは非接触状態となる。
【００２７】
また図４Ｄに示すように、充電器２００の載置部２５０には、バネ２５２Ｓ（付勢部材）によりＤ１方向に付勢力Ｆ２が付与された状態で載置部２５０から進退可能に突出するように設けられた突出部２５２が設けられている。第１状態では、携帯端末装置１００の底部１５０と、充電器２００の突出部２５２とは非接触状態となる。尚、載置部２５０から上方に延在する突出部２５２の長さは、載置部２５０から上方に延在する接点部２５１Ｐの長さよりも長くなっており、突出部２５２の上端は、接点部２５１Ｐの上端より上方に位置している。また第１状態では、図４Ｃに示すように、充電器２００の固定部２６１は、受容部１６１に受容されていない。
【００２８】
図５Ａ〜図５Ｅは、携帯端末装置１００を充電器２００に差し込んで載置した第２状態を示している。すなわち、第２状態は、ユーザが第１状態からＤ３方向に携帯端末装置１００を移動させて充電器２００に載置して手を離した状態を示している。第２状態では、図５Ｄに示すように、携帯端末装置１００の底部１５０と、充電器２００の突出部２５２とが接触状態となる。すなわち、携帯端末装置１００は、背面が左側壁２３１及び右側壁２３２に支持され、底部１５０が突出部２５２に支持される。ここで、バネ２５２Ｓから突出部２５２に付与される付勢力Ｆ２は、携帯端末装置１００の自重に応じたＤ１方向の力よりも大きくなっている。これにより、携帯端末装置１００は、自重による下方（Ｄ３方向）への移動が突出部２５２により規制される。このため、図５Ｂに示すように、携帯端末装置１００の端子１５１の接点部１５１Ｐと、充電器２００の端子２５１の接点部２５１Ｐとの間には間隙Ｍ１が形成され、両接点部１５１Ｐ，２５１Ｐは非接触状態を維持する。
【００２９】
また図５Ｃに示すように、充電器２００の固定部２６１は、携帯端末装置１００の背面に接触して支持しており、受容部１６１に受容されていない。また図５Ｅに示すように、携帯端末装置１００の下部１２０は、左前壁２７１及び右前壁２７２に沿って内部に受容され、底部１５０と載置部２５０との間に間隙Ｍ２が形成された状態で支持される。
【００３０】
図６Ａ〜図６Ｅは、第２状態から携帯端末装置１００を充電器２００に押し込んだ第３状態を示している。すなわち、第３状態は、ユーザが第２状態からＤ３方向に力を加えて携帯端末装置１００を下方に押し込んだ状態を示している。ユーザが、突出部２５２に付与された付勢力Ｆ２（図５Ｄ参照）よりも大きい力で携帯端末装置１００を付勢力Ｆ２に抗するＤ３方向に押し込むと、図６Ｄに示すように、突出部２５２はＤ１方向の付勢力Ｆ２を受けながら載置部２５０の内部に後退する。また携帯端末装置１００が下方に押し込まれると、図６Ｂに示すように、携帯端末装置１００の端子１５１の接点部１５１Ｐと、充電器２００の端子２５１の接点部２５１Ｐとが接触する。
【００３１】
ここで、携帯端末装置１００の接点部１５１Ｐは、充電器２００の接点部２５１Ｐと電気的な接続を可能とする所定の領域（本発明の接触面の一例）を有する。よって、接点部２５１Ｐが接点部１５１Ｐの前記領域（接触面）のうち何れかの部分に接触することにより、充電器２００と携帯端末装置１００とが電気的に接続される。詳細は後述するが、第３状態では、接点部２５１Ｐは、接点部１５１Ｐの接触面の第１部分Ｓ１に接触する（図６Ｂ参照）。
【００３２】
また図６Ｅに示すように、携帯端末装置１００の下部１２０は、左前壁２７１及び右前壁２７２に沿って内部に受容される。また第３状態では、図６Ｃに示すように、携帯端末装置１００の表示面側から見て、固定部２６１の位置と、受容部１６１の位置とが略一致し、携帯端末装置１００を背面側に押し込んだ場合に固定部２６１が受容部１６１に受容（嵌合）される状態となる。
【００３３】
第３状態では、充電器２００と携帯端末装置１００とが電気的に接続されるため、携帯端末装置１００の充電が開始される。尚、第３状態において、ユーザが携帯端末装置１００から手を離した場合、突出部２５２に付与されるＤ１方向の付勢力Ｆ２により、携帯端末装置１００が上方に押し上げられ、接点部１５１Ｐ，２５１Ｐは非接触状態（上述の第２状態）に戻る。第３状態は、本発明の第１状態の一例である。
【００３４】
図７Ａ〜図７Ｅは、第３状態から携帯端末装置１００を充電器２００に対してＤ４方向に倒した第４状態を示している。すなわち、第４状態は、ユーザが第３状態からＤ４方向に力を加えて携帯端末装置１００を背面側に押し込んだ後に携帯端末装置１００から手を離した状態を示している。ユーザが、携帯端末装置１００をＤ４方向に押し込むと、図７Ｅに示すように、左前壁２７１の上端部２７１Ｔを支点にして、携帯端末装置１００の上部１１０がＤ４方向に回転し、下部１２０がＤ５方向（本発明の第５方向に対応）に回転する。携帯端末装置１００の下部１２０の前面は、左前壁２７１の内面２２１に当接する。
【００３５】
これにより、図７Ｃに示すように、固定部２６１が受容部１６１に受容（嵌合）される。また、詳細は後述するが、図７Ｂに示すように、接点部２５１Ｐが接点部１５１Ｐの接触面の第２部分Ｓ２に接触する。すなわち、接点部２５１Ｐが、接点部１５１Ｐの接触面に接触した状態で第１部分Ｓ１（図６Ｂ参照）から第２部分Ｓ２に移動（摺動）する。
【００３６】
すなわち、第３状態から第４状態に変化する場合において、左前壁２７１の上端部２７１Ｔを支点にして携帯端末装置１００の上部１１０がＤ４方向に移動することにより固定部２６１が受容部１６１に受容され、かつ、左前壁２７１の上端部２７１Ｔを支点にして携帯端末装置１００の底部１５０がＤ５方向に移動することにより接点部２５１Ｐが第１部分Ｓ１から第２部分Ｓ２に摺動する。
【００３７】
ユーザが携帯端末装置１００から手を離すと、図７Ｄに示すように、携帯端末装置１００の底部１５０には、突出部２５２からＤ１方向に付勢力Ｆ２に応じた力が加えられ、携帯端末装置１００はＤ１方向に持ち上げられる。突出部２５２は、携帯端末装置１００の底部１５０に対して付勢力Ｆ２に応じた力を付与する。携帯端末装置１００に加えられたＤ１方向の力は、図７Ｃに示すように、固定部２６１と受容部１６１との接触部１６１ＡにＤ６方向の応力Ｆ３として作用する。また応力Ｆ３に対するＤ７方向の反力Ｆ４が、接触部１６１Ａに作用する。応力Ｆ３及び反力Ｆ４により、携帯端末装置１００の上方（Ｄ１方向）への移動が規制され、充電器２００に固定される。
【００３８】
第４状態では、ユーザが携帯端末装置１００から手を離しても携帯端末装置１００は充電器２００に固定されるため、充電処理が維持される。尚、ユーザが携帯端末装置１００をＤ４方向とは反対方向に力を加えると、固定部２６１が受容部１６１から外れ、突出部２５２に付与されるＤ１方向の付勢力Ｆ２により、携帯端末装置１００がＤ１方向に持ち上げられる。これにより、接点部１５１Ｐ，２５１Ｐは非接触状態（上述の第２状態）に戻り、充電処理が停止する。第４状態は、本発明の第２状態の一例である。
【００３９】
以上の一連の動作により、携帯端末装置１００は充電器２００に装着されて充電される。次に、携帯端末装置１００の接点部１５１Ｐと、充電器２００の接点部２５１Ｐとが電気的に接続される際の動作の詳細について説明する。
【００４０】
図８Ａは、第３状態を示す図６Ｅの拡大図であり、図８Ｂは、第４状態を示す図７Ｅの拡大図である。また図９Ａは、第３状態を示す図６Ｂの拡大図であり、図９Ｂは、第４状態を示す図７Ｂの拡大図である。
【００４１】
図９Ａに示すように、第３状態では、接点部２５１Ｐが接点部１５１Ｐの接触面の第１部分Ｓ１に接触する。このとき、接点部１５１Ｐの第１部分Ｓ１には、接点部２５１ＰからＤ１方向の付勢力Ｆ１に応じた力が付与される。このため、第１部分Ｓ１に接点部２５１Ｐが押し付けられた状態となる。
【００４２】
図８Ａ及び図８Ｂに示すように、ユーザが携帯端末装置１００をＤ４方向に押し込む（倒す）と、左前壁２７１の上端部２７１Ｔと携帯端末装置１００との接触部Ｔ１を支点にして、携帯端末装置１００の上部１１０がＤ４方向に回転し、下部１２０がＤ５方向に回転する。そして、携帯端末装置１００の下部１２０の前面が、左前壁２７１の内面２２１に当接する。このように、第３状態から第４状態へ変化する際に、携帯端末装置１００の上部１１０はＤ４方向に所定距離だけ移動し、携帯端末装置１００の下部１２０はＤ５方向に当該所定距離だけ移動する。
【００４３】
携帯端末装置１００の回転動作（移動）に伴って、接点部２５１Ｐと、接点部１５１Ｐの接触面との接触位置が移動する。具体的には、図９Ｂに示すように、前記接触位置は、第１部分Ｓ１から、前記所定距離に応じた位置の第２部分Ｓ２に移動（摺動）する。接点部２５１ＰにはＤ１方向の付勢力Ｆ１が常時作用しているため、前記接触位置が第１部分Ｓ１から第２部分Ｓ２に移動するまでの間、接点部２５１Ｐと接点部１５１Ｐとの接触状態が維持される。尚、第２部分Ｓ２は、接点部１５１Ｐの接触面の中心位置であることが望ましい。
【００４４】
このように、接点部２５１Ｐは、携帯端末装置１００をＤ３方向に充電器２００に押し込まれた場合に携帯端末装置１００の端子１５１の接触面の第１部分Ｓ１に接触する第１状態（図９Ａ参照）（本発明の第１状態に対応）と、接点部２５１Ｐが第１部分Ｓ１に接触した後に携帯端末装置１００をＤ４方向に押し込まれた場合に端子１５１の接触面の第２部分Ｓ２に接触する第２状態（図９Ｂ参照）（本発明の第２状態に対応）と、を含む。そして、接点部２５１Ｐは、端子１５１の接触面に接触した状態で第１部分Ｓ１から第２部分Ｓ２に摺動する。また固定部２６１，２６２は、接点部２５１Ｐが第２状態のときに携帯端末装置１００の受容部１６１，１６２に受容される（図７Ｃ参照）。
【００４５】
以上の動作によれば、携帯端末装置１００を充電器２００に装着する度に、充電器２００の接点部２５１Ｐが携帯端末装置１００の接点部１５１Ｐ上を摺動する。また充電が完了して携帯端末装置１００を充電器２００から取り外す際にも、接点部２５１Ｐが接点部１５１Ｐ上を摺動する。これにより、接点部１５１Ｐ，２５１Ｐに付着した異物が除去される。よって、携帯端末装置１００及び充電器２００の端子１５１，２５１に付着する異物に起因する接触不良を防止することができる。
【００４６】
また本実施形態に係る充電システム１０によれば、携帯端末装置１００を充電器２００に差し込む方向（Ｄ３方向）の延長線上に、携帯端末装置１００の端子１５１及び充電器２００の端子２５１が設けられ、またＤ３方向に対向する方向（Ｄ１方向）に、端子２５１の接点部２５１Ｐに付勢力Ｆ１が付与される。このため、携帯端末装置の側面側から接点部を押圧する構成と比較して、接点部１５１Ｐ，２５１Ｐ同士の接触圧を高めることができる。よって、端子同士の接触圧に起因する接触不良を防止することができる。
【００４７】
また本実施形態に係る充電システム１０によれば、携帯端末装置１００を前記Ｄ３方向に移動（又は落下）させた場合に、充電器２００の突出部２５２が携帯端末装置１００の底部１５０に先に当接するため（図５Ｄ参照）、充電器２００の接点部２５１Ｐと、携帯端末装置１００の接点部１５１Ｐとが勢い良く衝突することを防ぐことができる。通常、接点部１５１Ｐ，２５１Ｐは接点間の電気抵抗を少なくするために金メッキを施した表面処理をしており、接点部同士の衝突が強いと金メッキが剥がれてしまう問題が生じる。この点、本実施形態に係る充電システム１０の上記構成によれば、接点部１５１Ｐ，２５１Ｐの表面を保護することができるため、上記問題を解消することができる。
【００４８】
また本実施形態に係る充電器２００では、携帯端末装置１００の底部１５０において充電する構成であるため、携帯端末装置の側面において充電する構成と比較して、充電器２００の構成を簡略化及び小型化することができる。
【００４９】
本発明は上述の構成に限定されない。例えば、バネ２５２Ｓ（付勢部材）は、他の弾性部材で構成されてもよい。また、固定部２６１，２６２（凸部）が携帯端末装置１００に設けられ、受容部１６１，１６２（凹部）が充電器２００に設けられてもよい。また、接点部２５１Ｐの先端形状は、曲面状であってもよし、平面状であってもよい。
【符号の説明】
【００５０】
１０      ：充電システム
１００    ：携帯端末装置
１１０    ：上部
１２０    ：下部
１５０    ：底部
１５１    ：端子
１５１Ｐ  ：接点部
１６１    ：受容部
１６１Ａ  ：接触部
１６２    ：受容部
２００    ：充電器
２１０    ：後部
２２０    ：前部
２３１    ：左側壁
２３２    ：右側壁
２４０    ：受容部
２５０    ：載置部
２５１    ：端子
２５１Ｐ  ：接点部
２５２    ：突出部
２５２Ｓ  ：バネ
２６１    ：固定部
２６２    ：固定部
２７１    ：左前壁
２７１Ｔ  ：上端部
２７２    ：右前壁
Ｆ１      ：付勢力
Ｆ２      ：付勢力
Ｆ３      ：応力
Ｆ４      ：反力
Ｍ１      ：間隙
Ｍ２      ：間隙
Ｓ１      ：第１部分
Ｓ２      ：第２部分
Ｔ１      ：接触部
【図１】
2020025408.tif 000003
【図２Ａ】
2020025408.tif 000004
【図２Ｂ】
2020025408.tif 000005
【図３Ａ】
2020025408.tif 000006
【図３Ｂ】
2020025408.tif 000007
【図４Ａ】
2020025408.tif 000008
【図４Ｂ】
2020025408.tif 000009
【図４Ｃ】
2020025408.tif 000010
【図４Ｄ】
2020025408.tif 000011
【図４Ｅ】
2020025408.tif 000012
【図５Ａ】
2020025408.tif 000013
【図５Ｂ】
2020025408.tif 000014
【図５Ｃ】
2020025408.tif 000015
【図５Ｄ】
2020025408.tif 000016
【図５Ｅ】
2020025408.tif 000017
【図６Ａ】
2020025408.tif 000018
【図６Ｂ】
2020025408.tif 000019
【図６Ｃ】
2020025408.tif 000020
【図６Ｄ】
2020025408.tif 000021
【図６Ｅ】
2020025408.tif 000022
【図７Ａ】
2020025408.tif 000023
【図７Ｂ】
2020025408.tif 000024
【図７Ｃ】
2020025408.tif 000025
【図７Ｄ】
2020025408.tif 000026
【図７Ｅ】
2020025408.tif 000027
【図８Ａ】
2020025408.tif 000028
【図８Ｂ】
2020025408.tif 000029
【図９Ａ】
2020025408.tif 000030
【図９Ｂ】
2020025408.tif 000031